(57)【要約】【課題】  本発明は、簡単な構造で、且つ簡単な操作でヘッド圧の強さを調整できるヘッド圧調整装置を提供することを課題とする。【解決手段】  調整部１４２〜１４４と、スライド操作部１４６とは、軸方向に一体でスライド可能になっており、スライド操作部１４６を調整部１４２〜１４４の回転軸１４１の軸方向にスライドさせ、押圧部（円筒部材１３２）に当接する調整カムを薄紙用調整カム１４２ａ、薄紙用調整カム１４３ａおよび薄紙用調整カム１４４ａと、厚紙用調整カム１４２ｂ、厚紙用調整カム１４３ｂおよび厚紙用調整カム１４４ｂとのいずれかを選択することにより、サーマルヘッドをプラテンローラに向けて押圧する押圧力の強さを変化させることができ、サーマルヘッドのヘッド圧の強さを調整する。【選択図】        図５ 
2005193401.tif 000002
【特許請求の範囲】
【請求項１】
プラテンローラとの間に印字媒体とインクリボンとを挟持して前記インクリボンから前記印字媒体にインクを転写させて印字を行うサーマルヘッドのヘッド圧を調整するヘッド圧調整装置であって、
前記サーマルヘッドを前記プラテンローラに向けて押圧する押圧手段と、
該押圧手段と当接して前記押圧手段の押圧力を設定する当接面が形成された第１調整カムと、
該第１調整カムの前記プラテンローラの軸方向に連設され、前記押圧手段と当接して前記押圧手段の押圧力を前記第１調整カムよりも強く設定する当接面が形成された第２調整カムと、
前記第１調整カムおよび前記第２調整カムを前記プラテンローラの軸方向にスライドさせ、前記第１調整カムもしくは前記第２調整カムのいずれかの当接面を前記押圧手段に当接させるスライド操作手段と、を具備することを特徴とするヘッド圧調整装置。
【請求項２】
前記第１調整カムおよび前記第２調整カムは、前記プラテンローラと平行な回転軸に環装されていると共に、前記押圧手段と当接する複数の当接面がそれぞれ形成されており、
前記回転軸を回転させることにより、前記押圧手段と当接する当接面が変更され、前記サーマルヘッドのヘッド圧の左右バランスを調整可能であることを特徴とする請求項１記載のヘッド圧調整装置。
【請求項３】
前記押圧手段、前記第１調整カムおよび前記第２調整カムを覆うと共に、前記スライド操作手段を操作するための開口が形成されている前面カバーを具備し、
前記第１調整カムおよび前記第２調整カムのスライド面として予め設定されている当接面が前記押圧手段に当接している場合に、前記前面カバーに形成されている前記開口から前記スライド操作手段が操作可能になることを特徴とする請求項２記載のヘッド圧調整装置。
【請求項４】
前記第１調整カムと前記第２調整カムとの間に、前記第１調整カムおよび前記第２調整カムのスライド面以外の当接面が前記押圧手段に当接している場合に、前記第１調整カムおよび前記第２調整カムのスライドを防止するスライド防止カムが介装されていることを特徴とする請求項３記載のヘッド圧調整装置。
【発明の詳細な説明】
【技術分野】
【０００１】
本発明は、プラテンローラとの間に印字媒体とインクリボンとを挟持してインクリボンから印字媒体にインクを転写させて印字を行うサーマルヘッドのヘッド圧を調整するヘッド圧調整装置に関し、特にサーマルヘッドのヘッド圧の強さを調整するヘッド圧調整装置に関する。
【背景技術】
【０００２】
プラテンローラとサーマルヘッドとの間に印字媒体とインクリボンとを挟持してインクリボンから印字媒体にインクを転写させて印字を行う熱転写式の印字装置においては、サーマルヘッドをプラテンローラに所定のヘッド圧で押圧しながら印字が行われるが、印字媒体の厚さが厚くなったり、腰が強かったりして印字媒体の剛性が高くなった場合には、ヘッド圧を高く設定しないと良好な印字品質を得ることができない。そこで、サーマルヘッドのヘッド圧の強さを印字媒体の厚さに応じて調整することができる調整機構を設けた印字装置が存在している（例えば、特許文献１参照）。
【０００３】
しかしながら、従来技術では、ヘッド圧の強さを調整する調整機構の構造が複雑で、多くの部品が必要となるため、装置が高価なものになってしまうという問題点があった。
【特許文献１】特開２００１−２１３０１８号公報
【発明の開示】
【発明が解決しようとする課題】
【０００４】
本発明は斯かる問題点を鑑みてなされたものであり、その目的とするところは、簡単な構造で、且つ簡単な操作でヘッド圧の強さを調整でき、印字媒体の剛性が変化しても簡単に対応することができるヘッド圧調整装置を提供する点にある。
【課題を解決するための手段】
【０００５】
本発明は上記課題を解決すべく、以下に掲げる構成とした。
請求項１記載の発明の要旨は、プラテンローラとの間に印字媒体とインクリボンとを挟持して前記インクリボンから前記印字媒体にインクを転写させて印字を行うサーマルヘッドのヘッド圧を調整するヘッド圧調整装置であって、前記サーマルヘッドを前記プラテンローラに向けて押圧する押圧手段と、該押圧手段と当接して前記押圧手段の押圧力を設定する当接面が形成された第１調整カムと、該第１調整カムの前記プラテンローラの軸方向に連設され、前記押圧手段と当接して前記押圧手段の押圧力を前記第１調整カムよりも強く設定する当接面が形成された第２調整カムと、前記第１調整カムおよび前記第２調整カムを前記プラテンローラの軸方向にスライドさせ、前記第１調整カムもしくは前記第２調整カムのいずれかの当接面を前記押圧手段に当接させるスライド操作手段と、を具備することを特徴とするヘッド圧調整装置に存する。
また請求項２記載の発明の要旨は、前記第１調整カムおよび前記第２調整カムは、前記プラテンローラと平行な回転軸に環装されていると共に、前記押圧手段と当接する複数の当接面がそれぞれ形成されており、前記回転軸を回転させることにより、前記押圧手段と当接する当接面が変更され、前記サーマルヘッドのヘッド圧の左右バランスを調整可能であることを特徴とする請求項１記載のヘッド圧調整装置に存する。
また請求項３記載の発明の要旨は、前記押圧手段、前記第１調整カムおよび前記第２調整カムを覆うと共に、前記スライド操作手段を操作するための開口が形成されている前面カバーを具備し、前記第１調整カムおよび前記第２調整カムのスライド面として予め設定されている当接面が前記押圧手段に当接している場合に、前記前面カバーに形成されている前記開口から前記スライド操作手段が操作可能になることを特徴とする請求項２記載のヘッド圧調整装置に存する。
また請求項４記載の発明の要旨は、前記第１調整カムと前記第２調整カムとの間に、前記第１調整カムおよび前記第２調整カムのスライド面以外の当接面が前記押圧手段に当接している場合に、前記第１調整カムおよび前記第２調整カムのスライドを防止するスライド防止カムが介装されていることを特徴とする請求項３記載のヘッド圧調整装置に存する。
【発明の効果】
【０００６】
本発明のヘッド圧調整装置は、押圧部と当接して押圧部の押圧力を設定する当接面が形成された第１調整カムと、第１調整カムのプラテンローラの軸方向に連設され、押圧部と当接して押圧部の押圧力を第１調整カムよりも強く設定する当接面が形成された第２調整カムとをスライドさせて選択可能に構成することより、簡単な構造で、且つ簡単な操作でヘッド圧の強さを調整でき、印字媒体の剛性が変化しても簡単に対応することができるという効果を奏する。
【０００７】
さらに、本発明のヘッド圧調整装置は、第１調整カムおよび第２調整カムに押圧部と当接する複数の当接面を形成し、複数の当接面を変更することができるように構成することにより、ヘッド圧の強さを調整する調整する機構と、ヘッド圧の左右バランスを調整する機構とを兼用することができ、簡単な構造で、且つ簡単な操作でヘッド圧の強さを調整できるという効果を奏する。
【発明を実施するための最良の形態】
【０００８】
以下、本発明の実施の形態を図面に基づいて詳細に説明する。
【０００９】
図１は、本発明に係るヘッド圧調整装置の実施の形態が用いられる印字装置の構成を示す概略構成図であり、図２は、本発明に係るヘッド圧調整装置の実施の形態の構成を示す分解斜視図であり、図３は、図１に示すヘッド圧調整装置のカバー取り付け前の構成を示す斜視図であり、図４は、図１に示すヘッド圧調整装置のカバー取り付け後の構成を示す斜視図であり、図５は、図２に示すヘッド圧調整装置の構成を示す正面図である。図６は、図５に示す左側に位置する調整部の構成を示す図であり、（ａ）は、薄紙用調整カムの図５に示すＯ−Ｏ’断面図であり、（ｂ）は、厚紙用調整カムの図５に示すＰ−Ｐ’断面図であり、（ｃ）は、中央カムの正面図である。図７は、図５に示す中央に位置する調整部の構成を示す図であり、（ａ）は、薄紙用調整カムの図５に示すＱ−Ｑ’断面図であり、（ｂ）は、厚紙用調整カムの図５に示すＲ−Ｒ’断面図であり、（ｃ）は、中央カムの正面図である。図８は、図５に示す右側に位置する調整部の構成を示す図であり、（ａ）は、薄紙用調整カムの図５に示すＳ−Ｓ’断面図であり、（ｂ）は、厚紙用調整カムの図５に示すＴ−Ｔ’断面図であり、（ｃ）は、中央カムの正面図である。
【００１０】
本実施の形態のヘッド圧調整装置１が用いられる印字装置は、図１を参照すると、シールが台紙に等間隔で仮着されているロール状のシール連続体等の印字媒体２が装着される印字媒体供給リール３と、ロール状のインクリボン４が装着されるリボン供給リール５と、印字媒体２およびインクリボン４を搬送するプラテンローラ６と、プラテンローラ６との間に印字媒体２とインクリボン４とを挟持してインクリボン４から印字媒体２にインクを転写させて印字を行うサーマルヘッド７と、転写後のインクリボン４を巻き取る巻き取りリール８とからなり、ヘッド圧調整装置１によって、支持軸９に軸支されたヘッド支持体１０に取り付けられているサーマルヘッド７をプラテンローラ６に向けて押圧する構成になっている。なお、図１中の符号１１、１２は、インクリボン４の搬送をガイドするガイドローラである。
【００１１】
ヘッド圧調整装置１は、図２を参照すると、サーマルヘッド７をプラテンローラ６に向けて押圧する３本の押圧部１３と、押圧部１３の押圧力を設定するヘッド圧設定部１４とからなる。
【００１２】
押圧部１３は、係止部が周設されている円柱状の円柱部材１３１と、円柱部材１３１に環装された円筒部材１３２と、円柱部材１３１の係止部と円筒部材１３２との間に介装された弾性部材であるバネ１３３とからなり、バネ１３３によって伸縮自在に構成されている。
【００１３】
サーマルヘッド７は、支持軸９に軸支され、上面に３つの開口１５２が形成されたケース１５に覆われており、ケース１５に形成された３つの開口１５２に３本の押圧部１３がそれぞれ嵌装されている。３つの開口１５２の形成位置は、印字媒体２およびインクリボン４の搬送方向と直交する向きに、印字範囲の中央と、左右対称の位置とにそれぞれ形成されており、３つの開口１５２にそれぞれ嵌装された３本の押圧部１３によってサーマルヘッド７をプラテンローラ６に向けて押圧するように構成されている。
【００１４】
ケース１５には、両壁が上方に延出されて一対の支持板１５１が形成されていると共に、プラテンローラ６が取り付けられている筐体側のアイ（図示せず）と係着され、ケース１５とプラテンローラ６との距離を決めるフック１５３が設けられている。
【００１５】
ヘッド圧設定部１４は、回転軸１４１と、調整部１４２〜１４４と、回転操作部１４５と、スライド操作部１４６とからなり、回転軸１４１に、調整部１４２〜１４４と、回転操作部１４５と、スライド操作部１４６が環装された状態で、ケース１５に形成された３つの開口１５２に嵌装された３本の押圧部１３の上方に調整部１４２〜１４４がそれぞれ位置するように、ケース１５の両壁が延出されて形成されている一対の支持板１５１に回転自在に架設されている。調整部１４２〜１４４と、スライド操作部１４６とは、回転軸１４１の回転方向のみ位置決めされ、軸方向には、調整部１４２〜１４４およびスライド操作部１４６が一体でスライド可能になっており、回転操作部１４５は、回転軸１４１に固定されている。
【００１６】
なお、図２および図４に示す符号１６は、ヘッド圧調整装置１をカバーする前面カバーであり、符号１７は、ガイドローラ１２をカバーするガイドローラカバーである。前面カバー１６は、ケース１５に取り付けた状態で、図４に示すように、回転操作部１４５を除くヘッド圧設定部１４を前面側から覆う形状になっており、スライド操作部１４６を前面側から操作するための開口１６１と、スライド操作部１４６が係止される係止部１６２とが形成されている。
【００１７】
図５を参照すると、図中左側に位置する調整部１４２は、中央カム１４２ｃと、中央カム１４２ｃの左側に位置する３つの薄紙用調整カム１４２ａと、中央カム１４２ｃの右側に位置する３つの厚紙用調整カム１４２ｂとからなり、図中中央に位置する調整部１４３は、中央カム１４３ｃと、中央カム１４３ｃの左側に位置する３つの薄紙用調整カム１４３ａと、中央カム１４３ｃの右側に位置する３つの厚紙用調整カム１４３ｂとからなり、図中右側に位置する調整部１４４は、中央カム１４４ｃと、中央カム１４４ｃの左側に位置する３つの薄紙用調整カム１４４ａと、中央カム１４４ｃの右側に位置する３つの厚紙用調整カム１４４ｂとからなる。なお、調整部１４２〜１４４の各調整カムは、回転軸１４１の軸方向に分割して形成されているが、これは、プラスチック成形で作製した場合の精度向上を図るためであり、精度に問題がなければ、一体成形するようにしても良い。また、本実施の形態においては、図５に示す左側に印字媒体２を位置決めする基準面が存在するものとする。
【００１８】
薄紙用調整カム１４２ａおよび厚紙用調整カム１４２ｂは、図６に示すように、押圧部１３（円筒部材１３２）と当接する複数の当接面（Ａ〜Ｅ面とスライド面）が形成されており、回転操作部１４５を操作して回転軸１４１を回転させることにより、当接面が切り替わるように構成されている。薄紙用調整カム１４２ａは、図６（ａ）に示すように、全ての当接面が回転軸１４１の軸心から距離Ｘに設定されており、厚紙用調整カム１４２ｂは、図６（ｂ）に示すように、全ての当接面が回転軸１４１の軸心から距離Ｘよりも長い距離Ｘ’に設定されている。また、中央カム１４２ｃは、図６（ｃ）に示すように、薄紙用調整カム１４２ａと厚紙用調整カム１４２ｂとの段差を解消するためのテーパー面が形成されている。
【００１９】
薄紙用調整カム１４３ａおよび厚紙用調整カム１４３ｂは、図７に示すように、押圧部１３（円筒部材１３２）と当接する複数の当接面（Ａ〜Ｅ面とスライド面）が形成されている。薄紙用調整カム１４３ａは、図７（ａ）に示すように、Ａ〜Ｃ面とスライド面とが回転軸１４１の軸心から距離Ｘに、Ｄ面が回転軸１４１の軸心から距離Ｘよりも短い距離Ｙに、Ｅ面が回転軸１４１の軸心から距離Ｙよりも短い距離Ｚにそれぞれ設定されており厚紙用調整カム１４３ｂは、図７（ｂ）に示すように、Ａ〜Ｃ面とスライド面とが回転軸１４１の軸心から距離Ｘよりも長い距離Ｘ’に、Ｄ面が回転軸１４１の軸心から距離Ｙよりも長い距離Ｙ’に、Ｅ面が回転軸１４１の軸心から距離Ｚよりも長い距離Ｚ’にそれぞれ設定されている。なお、距離Ｘ：距離Ｘ’、距離Ｙ：距離Ｙ’および距離Ｚ：距離Ｚ’は、全て同じになるように設定されている。また、中央カム１４３ｃは、図７（ｃ）に示すように、薄紙用調整カム１４３ａと厚紙用調整カム１４３ｂとの段差を解消するためのテーパー面が形成されている。
【００２０】
薄紙用調整カム１４４ａおよび厚紙用調整カム１４４ｂは、図８に示すように、押圧部１３（円筒部材１３２）と当接する複数の当接面（Ａ〜Ｅ面とスライド面）が形成されている。薄紙用調整カム１４４ａは、図８（ａ）に示すように、Ａ面とスライド面とが回転軸１４１の軸心から距離Ｘに、Ｂ面が回転軸１４１の軸心から距離Ｘよりも短い距離Ｙに、Ｃ〜Ｅ面が回転軸１４１の軸心から距離Ｙよりも短い距離Ｚにそれぞれ設定されており、厚紙用調整カム１４４ｂは、図８（ｂ）に示すように、Ａ面とスライド面とが回転軸１４１の軸心から距離Ｘよりも長い距離Ｘ’に、Ｂ面が回転軸１４１の軸心から距離Ｙよりも長い距離Ｙ’に、Ｃ〜Ｅ面が回転軸１４１の軸心から距離Ｚよりも長い距離Ｚ’にそれぞれ設定されている。また、中央カム１４４ｃには、図８（ｃ）に示すように、薄紙用調整カム１４４ａと厚紙用調整カム１４４ｂとの段差を解消するためのテーパー面が形成されている。
【００２１】
回転操作部１４５を操作して回転軸１４１を回転させ、調整部１４２〜１４４のスライド面が押圧部１３（円筒部材１３２）と当接した状態では、図４に示すように、スライド操作部１４６が前面カバー１６の係止部１６２に係止され、前面カバー１６に形成された開口１６１からスライド操作部１４６を操作することが可能になる。この状態で、スライド操作部１４６を操作して回転軸１４１の軸方向にスライドさせることにより、押圧部１３（円筒部材１３２）に当接する調整カムを薄紙用調整カム１４２ａ、薄紙用調整カム１４３ａおよび薄紙用調整カム１４４ａと、厚紙用調整カム１４２ｂ、厚紙用調整カム１４３ｂおよび厚紙用調整カム１４４ｂとのいずれかに選択できる構成になっている。
【００２２】
なお、調整部１４２〜１４４の回転軸１４１の軸方向にスライドさせる際には、円筒部材１３２の上面（調整部１４２〜１４４との当接面）には、テーパー加工が施されており、さらに中央カム１４２ｃ、中央カム１４３ｃおよび中央カム１４４ｃにもテーパー面が形成されているため、スムーズにスライドさせることができる。
【００２３】
次に、本実施の形態のヘッド圧調整動作について図９を参照して詳細に説明する。
図９は、本発明に係るヘッド圧調整装置の実施の形態のヘッド圧調整動作によって調整されたヘッド圧のバランスおよび強さを説明するための図である。
【００２４】
プラテンローラ６が取り付けられている筐体側のアイ（図示せず）と、ケース１５のフック１５３とが係着され、ケース１５とプラテンローラ６との距離が決定された状態で、回転操作部１４５を操作して回転軸１４１を回転、もしくはスライド操作部１４６を調整部１４２〜１４４の回転軸１４１の軸方向にスライドさせ、調整部１４２〜１４４の押圧部１３（円筒部材１３２）との当接面を変更させることにより、押圧部１３のバネ１３３の伸縮状態が変化し、結果として押圧部１３によるサーマルヘッド７をプラテンローラ６に向けて押圧する押圧力が変化する。すなわち、調整部１４２〜１４４の当接面における回転軸１４１の軸心からの距離が長いほど、押圧部１３のバネ１３３が縮められサーマルヘッド７をプラテンローラ６に向けて押圧する押圧力が強くなり、調整部１４２〜１４４の当接面における回転軸１４１の軸心からの距離が短いほど、押圧部１３のバネ１３３が伸びてサーマルヘッド７をプラテンローラ６に向けて押圧する押圧力が弱くなる。
【００２５】
従って、回転操作部１４５を操作して回転軸１４１を回転させて押圧部１３（円筒部材１３２）に当接する当接面をＡ〜Ｅ面のいずれかに選択することにより、図９に示すように、サーマルヘッド７をプラテンローラ６に向けて押圧する押圧力をプラテンローラ６の軸方向で変化させることができ、サーマルヘッド７のヘッド圧の左右バランス、すなわちプラテンローラ６の軸方向のバランスを調整することができる。なお、図９に示す数値は、大きいヘッド圧が高いことを表すものであるが、具体的な単位に基づくものではない。
【００２６】
また、スライド操作部１４６を調整部１４２〜１４４の回転軸１４１の軸方向にスライドさせ、押圧部１３（円筒部材１３２）に当接する調整カムを薄紙用調整カム１４２ａ、薄紙用調整カム１４３ａおよび薄紙用調整カム１４４ａと、厚紙用調整カム１４２ｂ、厚紙用調整カム１４３ｂおよび厚紙用調整カム１４４ｂとのいずれかを選択することにより、図９に示すように、サーマルヘッド７をプラテンローラ６に向けて押圧する押圧力の強さを変化させることができ、サーマルヘッド７のヘッド圧の強さを調整することができる。
【００２７】
例えば、印字媒体２として厚さが薄く、幅の広いものを使用する場合には、スライド操作部１４６を操作して薄紙用調整カム１４２ａ、薄紙用調整カム１４３ａおよび薄紙用調整カム１４４ａを押圧部１３（円筒部材１３２）に当接させると共に、回転操作部１４５を操作して薄紙用調整カム１４２ａ、薄紙用調整カム１４３ａおよび薄紙用調整カム１４４ａのＡ面を押圧部１３（円筒部材１３２）に当接させることにより、図９に示すように、サーマルヘッド７のヘッド圧をプラテンローラ６の軸方向で均一に「２」の強さに設定することができる。また、印字媒体２として厚さが厚く、幅の狭いものを使用する場合には、スライド操作部１４６を操作して厚紙用調整カム１４２ｂ、厚紙用調整カム１４３ｂおよび厚紙用調整カム１４４ｂを押圧部１３（円筒部材１３２）に当接させると共に、回転操作部１４５を操作して厚紙用調整カム１４２ｂ、厚紙用調整カム１４３ｂおよび厚紙用調整カム１４４ｂのＥ面を押圧部１３（円筒部材１３２）に当接させることにより、図９に示すように、サーマルヘッド７のヘッド圧を左側、すなわち基準面に近い箇所のみを「２．５」の強さに設定することができる。
【００２８】
次に、本発明の他の実施の形態について図１０を参照して詳細に説明する。
図１０は、本発明に係るヘッド圧調整装置の他の実施の形態の中央カムの構成を示す図であり、（ａ）は、断面図であり、（ｂ）は、正面図である。
他の実施の形態は、中央カム１４２ｃ、１４３ｃ、１４４ｃの内の少なくともいずれか１つを、図１０に示すようなスライド防止機能を有するスライド防止カム１４７に代えたものであり、スライド防止カム１４７は、Ａ〜Ｅ面に対応する箇所を回転軸１４１の軸心から距離Ｒの円板状に形成されている。距離Ｒは、調整カムの当接面中で最も回転軸１４１の軸心から距離が長い距離Ｘ’よりも長く設定されており、薄紙用調整カム１４２ａ、薄紙用調整カム１４３ａおよび薄紙用調整カム１４４ａと、厚紙用調整カム１４２ｂ、厚紙用調整カム１４３ｂおよび厚紙用調整カム１４４ｂとのいずれかのＡ〜Ｅ面が押圧部１３（円筒部材１３２）に当接している場合には、スライド防止カム１４７によって調整部１４２〜１４４の回転軸１４１の軸方向にスライドが防止され、印字装置の使用中にユーザが意図せずサーマルヘッド７のヘッド圧が変わってしまうことを防止することができる。
【００２９】
以上説明したように、本実施の形態によれば、押圧部１３と当接して押圧部１３の押圧力を設定する当接面が形成された薄紙用調整カム１４２ａ、１４３ａ、１４４ａと、薄紙用調整カム１４２ａ、１４３ａ、１４４ａのプラテンローラ６の軸方向にそれぞれ連設され、押圧部１３と当接して押圧部１３の押圧力を薄紙用調整カム１４２ａ、１４３ａ、１４４ａよりも強く設定する当接面が形成された厚紙用調整カム１４２ｂ、１４３ｂ、１４４ｂとをスライドさせて選択可能に構成することより、簡単な構造で、且つ簡単な操作でヘッド圧の強さを調整できるという効果を奏する。
【００３０】
さらに、本実施の形態によれば、薄紙用調整カム１４２ａ、１４３ａ、１４４ａおよび厚紙用調整カム１４２ｂ、１４３ｂ、１４４ｂに押圧部１３と当接する複数の当接面を形成し、当該複数の当接面を変更することができるように構成することにより、ヘッド圧の強さを調整する調整する機構と、ヘッド圧の左右バランスを調整する機構とを兼用することができ、簡単な構造で、且つ簡単な操作でヘッド圧の強さを調整でき、印字媒体の剛性が変化しても簡単に対応することができるという効果を奏する。
【００３１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３２】
【図１】本発明に係るヘッド圧調整装置の実施の形態が用いられる印字装置の構成を示す概略構成図である。
【図２】本発明に係るヘッド圧調整装置の実施の形態の構成を示す分解斜視図である。
【図３】図１に示すヘッド圧調整装置のカバー取り付け前の構成を示す斜視図である。
【図４】図１に示すヘッド圧調整装置のカバー取り付け後の構成を示す斜視図である。
【図５】図２に示すヘッド圧調整装置の構成を示す正面図である。
【図６】図５に示す左側に位置する調整部の構成を示す図であり、（ａ）は、薄紙用調整カムの図５に示すＯ−Ｏ’断面図であり、（ｂ）は、厚紙用調整カムの図５に示すＰ−Ｐ’断面図であり、（ｃ）は、中央カムの正面図である。
【図７】図５に示す中央に位置する調整部の構成を示す図であり、（ａ）は、薄紙用調整カムの図５に示すＱ−Ｑ’断面図であり、（ｂ）は、厚紙用調整カムの図５に示すＲ−Ｒ’断面図であり、（ｃ）は、中央カムの正面図である。
【図８】図５に示す右側に位置する調整部の構成を示す図であり、（ａ）は、薄紙用調整カムの図５に示すＳ−Ｓ’断面図であり、（ｂ）は、厚紙用調整カムの図５に示すＴ−Ｔ’断面図であり、（ｃ）は、中央カムの正面図である。
【図９】本発明に係るヘッド圧調整装置の実施の形態のヘッド圧調整動作によって調整されたヘッド圧のバランスおよび強さを説明するための図である。
【図１０】本発明に係るヘッド圧調整装置の他の実施の形態の中央カムの構成を示す図であり、（ａ）は、断面図であり、（ｂ）は、正面図である。
【符号の説明】
【００３３】
１  ヘッド圧調整装置
２  印字媒体
３  印字媒体供給リール
４  インクリボン
５  リボン供給リール
６  プラテンローラ
７  サーマルヘッド
８  巻き取りリール
９  支持軸
１０  ヘッド支持体
１１、１２  ガイドローラ
１３  押圧部（押圧手段）
１４  ヘッド圧設定部（ヘッド圧設定手段）
１５  ケース
１６  前面カバー
１７  ガイドローラカバー
１３１  円柱部材
１３２  円筒部材
１３３  バネ(弾性部材）
１５２  開口
１５１  支持板
１５３  フック
１４１  回転軸
１４２〜１４４  調整部
１４２ａ、１４３ａ、１４４ａ  薄紙用調整カム（第１調整カム）
１４２ｂ、１４３ｂ、１４４ｂ  厚紙用調整カム（第２調整カム）
１４２ｃ、１４３ｃ、１４４ｃ  中央カム
１４５  回転操作部
１４６  スライド操作部（スライド操作手段）
１４７  スライド防止カム
１６１  開口
１６２  係止部
【図１】
2005193401.tif 000003
【図２】
2005193401.tif 000004
【図３】
2005193401.tif 000005
【図４】
2005193401.tif 000006
【図５】
2005193401.tif 000007
【図６】
2005193401.tif 000008
【図７】
2005193401.tif 000009
【図８】
2005193401.tif 000010
【図９】
2005193401.tif 000011
【図１０】
2005193401.tif 000012